(57)【要約】【課題】加えられた荷重を部材全体に分散して伝達することにより好適に破損を防止する雨水貯留浸透部材を提供することを目的とする。【解決手段】雨水排出用の配管から流入した雨水を貯留又は地中に浸透させる雨水貯留浸透部材であって、点検口、及び、横方向に突出した円筒状の配管接続部を具備する雨水流入部材と、前記雨水流入部材の下方に配置され、前記雨水流入部材の内部と連通する貯留浸透部材と、前記貯留浸透部材の上方に配置され、前記雨水流入部材の配管接続部を支持する支持部材と、を具備して構成されること、を特徴とする雨水貯留浸透部材。【選択図】図１
2020105783.tif 000002
【特許請求の範囲】
【請求項１】
雨水排出用の配管から流入した雨水を貯留又は地中に浸透させる雨水貯留浸透部材であって、
点検口、及び、横方向に突出した円筒状の配管接続部を具備する雨水流入部材と、
前記雨水流入部材の下方に配置され、前記雨水流入部材の内部と連通する貯留浸透部材と、
前記貯留浸透部材の上方に配置され、前記雨水流入部材の配管接続部を支持する支持部材と、
を具備して構成されること、
を特徴とする雨水貯留浸透部材。
【請求項２】
前記支持部材と前記貯留浸透部材との当接面積が、前記支持部材と前記配管接続部との当接面積より大きいこと、
を特徴とする請求項１に記載の雨水貯留浸透部材。
【請求項３】
前記支持部材の横断面積が上方から下方に向けて増加すること、
を特徴とする請求項１又は２に記載の雨水貯留浸透部材。
【請求項４】
前記支持部材が、前記配管接続部の外周面の少なくとも一部に沿って当接すること、
を特徴とする請求項１〜３のいずれかに記載の雨水貯留浸透部材。
【請求項５】
前記支持部材が、前記配管接続部の外周面の底部において、前記配管接続部との間に間隙を有すること、
を特徴とする請求項１〜４のいずれかに記載の雨水貯留浸透部材。
【請求項６】
前記貯留浸透部材が、立設部と、該立設部の上端に接続された天板部と、を備え、
前記雨水貯留浸透部材を上方から下方視した際、前記支持部材が前記立設部に重複する位置で前記天板部に当接すること、
を特徴とする請求項１〜５のいずれかに記載の雨水貯留浸透部材。
【発明の詳細な説明】
【技術分野】
【０００１】
本発明は、雨水を流入させて一時的に貯留した後、地中に浸透させて排出する雨水貯留浸透部材に関する。
【背景技術】
【０００２】
従来、地中に埋設して雨水を排出する配管を接続し、建物の屋根等で受けた雨水を流入させて一時的に貯留した後、徐々に地中に浸透させて排出する雨水浸透枡が存在する。当該雨水浸透枡としては、重量の大きなコンクリート製に代わり合成樹脂を用いて形成された軽量タイプの提供が進んでいる。
【０００３】
例えば特許文献１（特開２０１４−２０１８０号公報）においては、箱体状の枡本体の導水孔に、立管部材の導水管接続筒が挿入されて形成された雨水浸透桝が開示されている。より具体的には、上記特許文献１の図１に示されるように、箱体状の桝本体１１の上部に天板１７が配置され、同、図４に示されるように、立管部材３５の導水管接続筒３６が天板１７の導水孔２９に接続されている。
【先行技術文献】
【特許文献】
【０００４】
【特許文献１】特開２０１４−２０１８０号公報
【発明の概要】
【発明が解決しようとする課題】
【０００５】
しかしながら、上記特許文献１に開示された雨水浸透枡は、立管部材の上方から荷重が加えられた際に、当該荷重が導水管接続筒を含む立管部材及び天板を含む枡本体等に対して局所的に加えられ、破損するおそれがあった。また、上述のとおり、雨水浸透枡は地中に埋設して使用するものであるため、破損による割れ等の存在を認識することが困難であり、対応することが難しかった。
【０００６】
このような破損及び破損の認識の困難性があると、例えば大雨が発生した際に、雨水の流入や貯留を確実には行えなくなり、急に氾濫する等して甚大な災害に至ることも懸念されるため、まずは破損を防止可能な耐久性の高い雨水浸透枡の提案は喫緊の課題であると言える。
【０００７】
そこで、本発明は、上記問題に鑑みて創作されたものであり、荷重が加えられても分散させて破損を抑制し易い構造を有する雨水貯留浸透部材を提供することを目的とする。
【課題を解決するための手段】
【０００８】
上記の課題を解決すべく、本発明は、
雨水排出用の配管から流入した雨水を貯留又は地中に浸透させる雨水貯留浸透部材であって、
点検口、及び、横方向に突出した円筒状の配管接続部を具備する雨水流入部材と、
前記雨水流入部材の下方に配置され、前記雨水流入部材の内部と連通する貯留浸透部材と、
前記貯留浸透部材の上方に配置され、前記雨水流入部材の配管接続部を支持する支持部材と、
を具備して構成されること、
を特徴とする雨水貯留浸透部材を提供する。
【０００９】
このような構成を有する本発明の雨水貯留浸透部材によれば、配管を接続して雨水を流入させる雨水流入部材、当該雨水流入部材を支持する支持部材、及び流入させた雨水を貯留又は地中に浸透させる貯留浸透部材の三つの部材を当接して組み立てることができる。雨水流入部材が、支持部材に直接支持され、当該支持部材を介して貯留浸透部材の上方に配置されることから、上方から加えられた荷重は、この支持部材によって全体に分散させることが可能となり、各部材に対して局所的に加えられないため、耐荷重性を飛躍的に向上させて好適な耐久性を実現する。
【００１０】
また、上記の本発明の雨水貯留浸透部材においては、前記支持部材と前記貯留浸透部材との当接面積が、前記支持部材と前記配管接続部との当接面積より大きいことが望ましい。
【００１１】
このような構成を有する本発明の雨水貯留浸透部材によれば、雨水流入部材に掛かる荷重は配管接続部から支持部材に移動し、ベースプレートの底面を介して貯留浸透部材に伝達されるため、各接点（支持面）の面積が高さ方向の下方に向って大きくなるよう構成することで、雨水貯留浸透部材全体で安定した荷重の支持を行うことができ、荷重の分散及び破損の抑制を確実に実現できる。
【００１２】
また、上記の本発明の雨水貯留浸透部材においては、
前記支持部材の横断面積が上方から下方に向けて増加することが望ましい。
【００１３】
このような構成を有する本発明の雨水貯留浸透部材によれば、雨水流入部材を支持した支持部材は荷重を下方の貯留浸透部材に伝達するため、支持部材の横断面積が高さ方向の上方から下方に向かって増加するよう構成すれば、支持部材内部で荷重を緩やかに分散させることができ、より確実に局所的な荷重の偏りを防止して破損を防ぐことができる。
【００１４】
また、上記の本発明の雨水貯留浸透部材においては、前記支持部材が、前記配管接続部の外周面の少なくとも一部に沿って当接することが望ましい。
【００１５】
このような構成を有する本発明の雨水貯留浸透部材によれば、支持部材で雨水流入部材を安定して支持することができ、雨水流入部材にかかる荷重を分散することができる。
【００１６】
また、上記の本発明の雨水貯留浸透部材においては、
前記支持部材が、前記配管接続部の外周面の底部において、前記配管接続部との間に間隙を有することが望ましい。
【００１７】
このような構成を有する本発明の雨水貯留浸透部材によれば、底部を除く側面近傍の複数点で雨水流入部材を支持するため、一義的に雨水流入部材を位置決めしつつ、荷重を分散させることができる。
【００１８】
また、上記の本発明の雨水貯留浸透部材においては、更に、
前記貯留浸透部材が、立設部と、該立設部の上端に当接する天板部と、を備え、
前記雨水貯留浸透部材を上方から下方視した際、前記支持部材が前記立設部に重複する位置で前記天板部に当接することが望ましい。
【００１９】
このような構成を有する本発明の雨水貯留浸透部材によれば、施工状況に応じて最も取り回し的に最良な方向（位置）を選択して貯留浸透部材の上方に支持部材を載置し、支持部材から伝達された荷重を立設部に分散することができる。
【発明の効果】
【００２０】
本発明によれば、加えられた荷重を部材全体に分散させることにより好適に破損を抑制できる雨水貯留浸透部材を提供できる。
【図面の簡単な説明】
【００２１】
【図１】本実施形態における雨水貯留浸透部材１の概要を示す図であって、図１（ａ）は、雨水貯留浸透部材１の斜視図であり、図１（ｂ）は、使用時における雨水貯留浸透部材１の側面図である。
【図２】図１における雨水流入部材３の構造を示す図であって、図２（ａ）は、雨水流入部材３の一部を断面視した方向Ｙの正面図であり、図２（ｂ）は、雨水流入部材３を方向Ｘに見た側面図であり、図２（ｃ）は、雨水流入部材３を方向Ｚに見下げた平面図である。
【図３】図１における支持部材５の構造を示す図であって、図３（ａ）は、支持部材５を方向Ｚに見下げた平面図であり、図３（ｂ）は、支持部材５を方向Ｙに見た正面図であり、図３（ｃ）は、支持部材５を方向Ｘに見た側面図である。
【図４】図１における貯留浸透部材７の構造を示す図であって、図４（ａ）は、貯留浸透部材７を方向Ｚに見下げた平面図であり、図４（ｂ）は、貯留浸透部材７を方向Ｙに見た正面図である。
【図５】本実施形態に係る雨水貯留浸透部材１の組み立て方法を示す模式図である。
【図６】貯留浸透部材７と支持部材５の当接態様を示す図であって、図６（ａ）は、ベースプレート２５の長辺を方向Ｙと略平行に配置して貯留浸透部材７と支持部材５を当接した態様を示す方向Ｚに見下げた平面図であり、図６（ｂ）は、ベースプレート２５の長辺を方向Ｘと略平行に配置して貯留浸透部材７と支持部材５を当接した態様を示す方向Ｚに見下げた平面図である。
【図７】雨水貯留浸透部材１の施工工程を示す図であって、図７（ａ）は、第一工程を示す模式図であり、図７（ｂ）は、第二工程を示す模式図であり、図７（ｃ）は、第三工程を示す模式図である。
【図８】雨水貯留浸透部材１の施工工程を示す図であって、図８（ａ）は、第四工程を示す模式図であり、図８（ｂ）は、第五工程を示す模式図であり、図８（ｃ）は、第六工程を示す模式図である。
【図９】雨水貯留浸透部材１の施工工程を示す図であって、図９（ａ）は、第七工程示す模式図であり、図９（ｂ）は、第八工程を示す模式図であ。
【図１０】その他の実施形態に係る雨水貯留浸透部材１０１の概要を示す斜視図である。
【図１１】支持部材１０５の構造を示す図であって、図１１（ａ）は、支持部材１０５を方向Ｚに見下げた平面図であり、図１１（ｂ）は、支持部材１０５を方向Ｙに見た側面図であり、図１１（ｃ）は、支持部材１０５を方向Ｘに見た側面図である。
【図１２】その他の支持部の形状及び配管接続部１１との当接態様を示す図であって、図１２（ａ）は、支持部２９ａを示す側面図であり、図１２（ｂ）は、支持部２９ｂを示す側面図であり、図１２（ｃ）は、支持部２９ｃを示す側面図である。
【発明を実施するための形態】
【００２２】
以下、図面を参照しながら、本発明の雨水貯留浸透部材の代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００２３】
１．雨水貯留浸透部材１の概要
図１を用いて本発明の一実施形態に係る雨水貯留浸透部材１の概要を説明する。図１は、本実施形態における雨水貯留浸透部材１の概要を示す図であって、図１（ａ）は、雨水貯留浸透部材１の斜視図であり、図１（ｂ）は、使用時における雨水貯留浸透部材１の側面図である。図１（ａ）及び（ｂ）に示すとおり、雨水貯留浸透部材１は、雨水排出用の配管５１から流入した雨水を貯留又は地中に浸透させるものであって、地中に埋設して所定のスペースを形成し、当該スペースに対して接続した配管５１から雨水を誘導する態様を備えたものである。
【００２４】
また、本実施形態に係る雨水貯留浸透部材１は、地上において車などから加えられる荷重に対し優れた耐久性を有する構造を備えており、雨水貯留浸透部材１を構成する各部材間で上記荷重を伝達及び分散し、好適に破損を抑制乃至は防止する特徴を有している。
【００２５】
なお、本実施形態では理解容易を図るため、各図に示すように、後述する配管接続部１１の管軸方向をＸ、配管接続部１１と略直交する方向をＹ、雨水流入部材３の管軸方向をＺとして方向を定義し説明する。
【００２６】
２．雨水貯留浸透部材１の構造
次に、本実施形態に係る雨水貯留浸透部材１の構造について詳細に説明する。図１（ａ）に示すとおり、雨水貯留浸透部材１は、点検口９及びＸ方向に突出した円筒状の配管接続部１１を具備する雨水流入部材３と、雨水流入部材３の方向Ｚの下方に配置され、雨水流入部材３の内部と連通する貯留浸透部材７と、貯留浸透部材７の方向Ｚの上方に配置され、雨水流入部材３の配管接続部１１を支持する支持部材５と、を具備して構成されている。以下、雨水貯留浸透部材１を構成する雨水流入部材３、支持部材５、及び貯留浸透部材７の構造について詳述する。
【００２７】
＜雨水流部材３＞
図２を用いて、雨水流入部材３の構造について詳細に説明する。図２は、図１における雨水流入部材３の構造を示す図であって、図２（ａ）は、雨水流入部材３の一部を断面視した方向Ｙの正面図であり、図２（ｂ）は、雨水流入部材３を方向Ｘに見た側面図であり、図２（ｃ）は、雨水流入部材３を方向Ｚに見下げた平面図である。雨水流入部材３は、雨水排出用の配管５１を接続し、後述する貯留浸透部材７に誘導するための部材である。
【００２８】
図２（ａ）（ｂ）（ｃ）に示すとおり、本実施形態で用いる雨水流入部材３は、雨水排出用の配管５１と接続するための配管接続部１１と、異物詰まり等が発生した際にメンテナンスを行うための点検口９と、配管５１から流入した雨水を貯留浸透部材７に誘導する雨水誘導筒１３と、を備え、これら各部を一体的に構成した配管部材である。
【００２９】
雨水流入部材３は、本実施形態において、塩化ビニル樹脂等を用いて形成した略十字形状の配管部材であって、より具体的な構造としては、方向Ｚに延びる略円筒状の雨水誘導筒１３の上方で、方向Ｘの左右に向けて略円筒状の配管接続部１１が配設され、雨水誘導筒１３及び配管接続部１１双方が内部を連通した状態で一体的に形成されている。
【００３０】
雨水誘導筒１３は、方向Ｚの下方に向けて縮径した形状が採用されており、下端の端面は通水孔１５が設けられている。また、雨水誘導筒１３の縮径域の側面にも、複数の通水孔１５が形成されており、雨水を通水して貯留浸透部材７に誘導する。
【００３１】
なお、雨水誘導筒１３の外径は、後述する支持部材５の貫通孔３１及び貯留浸透部材７の受入孔１９の直径より小さく設定することが望ましく、雨水貯留浸透部材１を組み立てた時に、双方が当接しない程度クリアランスを有することが好ましい。また、通水孔１５ついても、組立時に貯留浸透部材７内部に配置される配置で形成することが望ましく、形状及びサイズについては、誘導する雨水量及び雨水貯留浸透部材１各部の寸法に応じて適宜決定すればよい。
【００３２】
点検口９は、雨水誘導筒１３の上端の端面に形成された方向Ｚに対向する開口であって、上述したとおり、雨水貯留浸透部材１内部に異物詰まり等が発生した際にメンテナンスを行うことを目的とした部位である。この点検口９は、点検及びメンテナンスを問題なく実施できる開口面積で形成することが望ましく、普段は別途用意した略同径の蓋体（図示せず）を嵌合させることにより閉鎖する。
【００３３】
配管接続部１１は、使用する雨水排出用の配管５１と突合せ接続可能な構造を備えた継手であり、例えば配管接続部１１の内側面が配管５１の外側面に当接、又は配管接続部１１の外側面２１（外周面）が配管５１の内側面に当接し、双方が水密に嵌合する態様等を採用することができる。これにより、配管５１を通過してきた雨水を外部に漏水することなく確実に雨水流入部材３内部に導水することができる。
【００３４】
なお、配管接続部１１の外径寸法、内径寸法、及び方向Ｘの長さ寸法は、接続する配管５１の各部のサイズ等に応じて適宜決定すればよいが、後述する支持部材５の管支持部２３が問題なく配管接続部１１の外側面２１に当接し、支持可能に設計される。また、配管接続部１１の数、配管接続部同士がなす角度は適宜決定すればよい。
【００３５】
＜支持部材５＞
続いて図３を用い、支持部材５の構造について詳細に説明する。図３は、図１における支持部材５の構造を示す図であって、図３（ａ）は、支持部材５を方向Ｚに見下げた平面図であり、図３（ｂ）は、支持部材５を方向Ｙに見た正面図であり、図３（ｃ）は、支持部材５を方向Ｘに見た側面図である。支持部材５は、貯留浸透部材７の上方に配置され、上述した雨水流入部材３を支持するための部材である。
【００３６】
図３（ａ）（ｂ）（ｃ）に示すとおり、支持部材５は、後述する貯留浸透部材７に直接当接するベースプレート２５と、このベースプレート２５に立設し雨水流入部材３を支持する支持片２７と、から概ね構成されている。この支持片２７の上面には、雨水流入部材３の外側面２１に直接当接する支持部２９が形成されており、雨水流入部材３の雨水誘導筒１３を挿通するベースプレート２５の略中央には、貫通孔３１が形成されている。
【００３７】
ベースプレート２５は、略三角形状（乃至はホームベース状）の板状部位であって、各頂点近傍を直線的に面取りした態様となっている。また、方向Ｘの幅寸法Ｗ１は、後述する貯留浸透部材７の立設部間寸法Ｗ４と略同寸法とすることが望ましく、方向Ｙの幅寸法Ｗ２は、貯留浸透部材７の立設部間寸法Ｗ５と略同寸法とすることが望ましい。
【００３８】
なお、貫通孔３１は後述する二枚の支持片２７の間に配設されたベースプレート２５の表裏を貫通する孔であって、直径寸法は上述した雨水流入部材３の雨水誘導筒１３の外径に対して所定のクリアランスを設けた寸法で設定することが望ましい。ベースプレート２５に対する貫通孔３１の具体的な形成位置は、方向Ｘの略中央かつ方向Ｙの下方端縁（ベースプレート２５の長辺）から離隔距離Ｗ７の位置に孔中心が配置されることが望ましい。
【００３９】
支持片２７は、ベースプレート２５に立設する二枚の略板状部位であって、双方は対向しかつ所定の離隔寸法Ｗ３で配置されている。また、支持片２７の方向Ｚの上端端面には、略円弧状かつ雨水流入部材３の配管接続部１１の外径と略同様の寸法で切欠かれた支持部２９が形成されており、上述した配管接続部１１の外側面２１の形状に沿って当接可能となっている。
【００４０】
なお、離間寸法Ｗ３について具体的には、雨水流入部材３の雨水誘導筒１３の最大外径（方向Ｚの上方）より大きく、雨水誘導筒１３の方向Ｘの左右に接続された双方の配管接続部１１の端縁間距離Ｗ６より小さい寸法とすることが望ましい。離間寸法Ｗ３をこのように設定すれば、雨水流入部材３を二枚の支持片２７間に配置し、かつ配管接続部１１に当接して支持することができる。
【００４１】
また、支持部２９の底（方向Ｚにおいて最も低い位置）からベースプレート２５の裏面までの高さ寸法Ｈ１は、雨水貯留浸透部材１を組み立てた際における雨水流入部材３の方向Ｚの位置を決定する寸法であるから、当該寸法を調整することで、主に貯留浸透部材７の受入孔１９に対する雨水誘導筒１３の挿入深さを設定することができる。
【００４２】
支持部材５と貯留浸透部材７との当接面積が、支持部材５と配管接続部１１との当接面積より大きいことが望ましい。雨水流入部材３に掛かる荷重は配管接続部１１から支持部材５に移動し、ベースプレート２５の底面を介して貯留浸透部材７に伝達されるため、各接点（支持面）の面積が方向Ｚの下方に向って大きくなるよう構成すれば、雨水貯留浸透部材１全体で荷重を安定して支持することができ、耐久性を好適に向上することができる。
【００４３】
支持部材５の横断面積が、方向Ｚの上方から下方に向けて増加することが望ましい。雨水流入部材３を支持した支持部材５は、上述のとおり荷重を下方の貯留浸透部材７に伝達するため、支持部材５の横断面積が方向Ｚの上方から下方に向かって増加するよう構成すれば、支持部材５内部で荷重を緩やかに分散させることができ、局所的な荷重の偏りを防止して破損を防ぐことができる。なお、図３（ａ）（ｂ）（ｃ）に示す構造の他、ベースプレート２５と二本の支持片２７間に中間部材（例えばベースプレート２５と略平行かつ二本の支持片２７の底面の面積より大きくベースプレート２５の平面の面積より小さい部材）を形成し、より上方から下方に向って横断面積が増加する態様を採用してもよい。
【００４４】
支持部２９の形状は、上述した形状の他、例えば以下の形状を採用することができる。図１２（ａ）（ｂ）（ｃ）は、その他の支持部の形状及び配管接続部１１との当接態様を示す図であって、図１２（ａ）は、支持部２９ａを示す側面図であり、図１２（ｂ）は、支持部２９ｂを示す側面図であり、図１２（ｃ）は、支持部２９ｃを示す側面図である。
【００４５】
支持部材５が、配管接続部１１の外周面（外側面２１）の少なくとも一部に沿って当接する態様を採用してもよい。支持部２９ａのように、雨水流入部材３の配管接続部１１の外径より大きな寸法の円弧で形成し、配管接続部１１を支持した際に外側面２１の底面近傍のみに当接する態様としてもよい（特に図１２（ａ）参照）。
【００４６】
支持部材５が、配管接続部１１の外周面（外側面２１）の底部において、配管接続部１１との間に間隙を有する態様を採用してもよい。支持部２９ｂ又は支持部２９ｃのように、斜面や平滑面をつないで形成することで配管接続部１１を線で支持し、所定の位置に空隙を有した当接態様としてもよい（特に図１２（ｂ）及び（ｃ）参照）。
【００４７】
＜貯留浸透部材７＞
次に、図４を用いて貯留浸透部材７の構造について詳細に説明する。図４は、図１における貯留浸透部材７の構造を示す図であって、図４（ａ）は、貯留浸透部材７を方向Ｚに見下げた平面図であり、図４（ｂ）は、貯留浸透部材７を方向Ｙに見た正面図である。貯留浸透部材７は、地中に空間を形成し、雨水流入部材３から誘導された雨水の貯水又は地中への浸透を行う部材である。
【００４８】
図４（ａ）及び（ｂ）に示すとおり、本実施形態で用いる貯留浸透部材７は、方向Ｚの上方に対向する略平滑な天板部３５と、この天板部３５と略平行に配置されかつ方向Ｚの下方に対向する略平滑な底板部３７と、方向Ｚに延びて天板部３５と底板部２７との間を支持する複数の立設部（脚部）３３と、により構成された略箱型の部材であり、内部に大きな空隙を備えた特徴を有している。
【００４９】
本実施形態では、天板部３５及び立設部３３と、底板部３７及び立設部３３とは、それぞれで構成されるユニットが同じ形状を有している。すなわち天板部３５及び底板部３７は、双方が同形状であって、略正方形の平面形状と所定の板厚を有して構成された部位である。また、立設部３３は略筒状の部位であって、荷重に耐える十分な径寸法、及び貯留浸透部材７内部に誘導する雨水量に応じて設定された長さ寸法により形成されている。この立設部３３は上端（基端）を開口し、下端（先端）に通水用の開口部を形成し、内部を水が上下に移動できるように構成することが好ましい。
【００５０】
また、天板部３５には表裏を貫通する四つの受入孔１９が形成されており、雨水貯留浸透部材１の組み立て時において上述した支持部材５の貫通孔３１と連通し、雨水流入部材３の雨水誘導筒１３の下方を挿通することができる。天板部３５に対する受入孔１９の形成位置として具体的には、方向Ｘの略中央かつ方向Ｙの上下端縁からそれぞれ離隔距離Ｗ８の位置に孔中心を配置することで二個、及び方向Ｙの略中央かつ方向Ｘの左右端縁からそれぞれ離隔距離Ｗ８の位置に孔中心を配置することで二個（合計四個）形成することが望ましい。なお、離隔距離Ｗ８は、上述した支持部材５の貫通孔３１の形成位置に関係する離隔距離Ｗ７と略同寸法とする。また、受入孔１９の直径寸法は上述した雨水流入部材３の雨水誘導筒１３の外径に対して所定のクリアランスを設けた寸法で設定することが望ましい。
【００５１】
天板部３５及び底板部３７双方において、四つの頂点近傍及びこれら頂点をつないだ対角線同士の重複部（方向Ｚに平面視した状態で中央）における合計５カ所に立設部３３の一方の端部又は他方の端部を接続し、天板部３５、立設部３３、及び底板部３７を一体的に組合せ、貯留浸透部材７が構成されている。
【００５２】
ここで、天板部３５と立設部３３の配設方向について詳述すると、方向Ｚの上方に対向しかつ方向Ｘ及び方向Ｙと平行の天板部３５に対し、立設部３３は方向Ｚと平行かつ方向Ｘ及び方向Ｙと略直交して配設される態様である。
【００５３】
なお、上述した天板部３５及び底板部３７に接続した複数の立設部３３間の配置は、天板部３５及び底板部３７を方向Ｚに平面視した状態において、頂点近傍に接続された四本の立設部３３それぞれの隣り合う立設部間寸法Ｗ４が同じであり、更に頂点近傍に接続された四本の立設部３３それぞれと対角線の重複部（中央）に接続された立設部３３との立設部間寸法Ｗ５（方向Ｘ及び方向Ｙの離隔寸法）も同じである。
【００５４】
本実施形態では、天板部３５（又は底板部３７）及び複数の立設部３３、が一体に形成され、これら二つ（一種）の部材を組み立てることによって貯留浸透部材７を構成する例を代表して説明したが、全てを一体に形成して組み立て不要の態様を採用してもよいし、全てを別体に形成した態様を採用してもよい。また、貯留浸透部材７は、例えば特許第６１６４５５９号の地下水槽用充填部材の態様を採用することができる。さらに、貯留浸透部材は、上述した態様に限らず、雨水誘導筒１３が挿入可能なサイズを有し、円筒状（又は円錐台状、又は角筒状、又は角錐台状）で透水孔が設けられた形状でもよい。このような態様であればよりコンパクトにでき、貯留浸透部材の組立作業も削減できるため、施工性を向上することができる。この場合、支持部材のベースプレートは貯留浸透部材の上端の形状に合わせて、円盤状や角盤状に形成されることが好ましい。
【００５５】
３．雨水貯留浸透部材１の施工方法
以下、本実施形態に係る雨水貯留浸透部材１の施工方法について詳細に説明する。ここでは、上述した雨水流入部材３、支持部材５、及び貯留浸透部材７による雨水貯留浸透部材１の組み立て方法について先に詳述し、その後実際に雨水貯留浸透部材１を地中に施工する方法を詳細に説明する。
【００５６】
＜雨水貯留浸透部材１の組み立て方法＞
図５及び図６を用い、雨水貯留浸透部材１の組み立て方法を説明する。図５は、本実施形態に係る雨水貯留浸透部材１の組み立て方法を示す一部を断面視した模式図であり、図６は、貯留浸透部材７と支持部材５の当接態様を示す図であって、図６（ａ）は、ベースプレート２５の長辺を方向Ｙと略平行に配置して貯留浸透部材７と支持部材５を当接した態様を示す方向Ｚに見下げた平面図であり、図６（ｂ）は、ベースプレート２５の長辺を方向Ｘと略平行に配置して貯留浸透部材７と支持部材５を当接した態様を示す方向Ｚに見下げた平面図である。なお、図６では、貯留浸透部材７を構成する五本の立設部３３を立設部３３ａ〜３３ｅとして区別し、組み立ての態様を詳細に説明する。
【００５７】
図５に示すとおり、雨水貯留浸透部材１は、方向Ｚの下方から貯留浸透部材７、支持部材５、雨水流入部材３の順に積み上げることによって組み立てるものである。なお、これら各部材は、それぞれが当接するのみであって、接着や溶着を伴う必要はない。
【００５８】
貯留浸透部材７の天板部３５の上端に支持部材５を載置し、貯留浸透部材７の受入孔１９と、支持部材５の貫通孔３１と、を同心に配置しつつ、支持部材５のベースプレート２５の長辺が貯留浸透部材７の天板部３５の四辺のうちいずれか一辺の上方かつ略平行に配置されるよう位置決めを行う。
【００５９】
また、雨水流部材３は、雨水誘導筒１３の下方を貫通孔３１及び受入孔１９に挿通しつつ貯留透水部材７内に挿入し、配管接続部１１の外側面２１の下方を支持部材５の支持片２７に形成された支持部２９に当接して全体を位置決めする。
【００６０】
図６（ａ）及び（ｂ）に示すとおり、貯留浸透部材７と支持部材５の当接態様としてより具体的には、雨水貯留浸透部材１を方向Ｚの上方から下方視した際、支持部材５が立設部に重複する位置で天板部３５に当接することが望ましい。上述したとおり支持部材５は、ベースプレート２５の長辺が貯留浸透部材７の天板部３５の四辺のうちいずれか一辺の上方かつ略平行に配置されるよう位置決めすることにより、天板部３５を介して立設部３３ａ、３３ｂ、３３ｃ、３３ｄ、及び３３ｅのうち三本に支持される配置となる。
【００６１】
貯留浸透部材７は、天板部３５の四つの頂点近傍に接続された立設部３３ａ、３３ｂ、３３ｃ、及び３３ｄと、この四つの頂点をつないだ対角線同士の重複部に接続された立設部３３ｅの合計五本が接続されているため、ベースプレート２５の長辺を方向Ｘに対して平行に配置し、かつ天板部３５の四辺のうち方向Ｘに対して平行な一辺の上方に配置することで、ベースプレート２５の方向Ｘの左の端部が立設部３３ｃ（立設部３３ｂ）、右の端部が立設部３３ｄ（立設部３３ａ）、及び方向Ｙの端部が立設部３３ｅの上方に位置することになり（特に図６（ａ）参照）、又は、ベースプレート２５の長辺を方向Ｙに対して平行に配置し、かつ天板部３５の四辺のうち方向Ｙに対して平行な一辺の上方に配置することで、ベースプレート２５の方向Ｙの上方の端部が立設部３３ｂ（立設部３３ｃ）、下方の端部が立設部３３ｄ（立設部３３ａ）、及び方向Ｘの端部が立設部３３ｅの上方に位置することになる（特に図６（ｂ）参照）。
【００６２】
すなわち、支持部材５は四つの方向から選択して貯留浸透部材７に当接することができ、かつ三本の立設部３３の上方に位置することになるため、施工状況に応じて最も取り回し的に最良な方向を選択可能となり、更に支持部材５から伝達された荷重を三本の立設部３３に分散しつつ確実に支持することができる。
【００６３】
雨水流入部材３は、上述したとおり雨水誘導筒１３を貫通孔３１及び受入孔１９に挿通しているが、貫通孔３１及び受入孔１９の直径は雨水誘導筒１３の直径に対して所定のクリアランスを設けて設定されているため、組み立て時において雨水誘導筒１３と双方は接触しない（特に図１（ｂ）参照）。
【００６４】
よって、雨水流入部材３は支持部材５のみに接触して支持され、雨水誘導筒１３は他部材に接触しない状態で貯留浸透部材７内に挿入されるため、雨水流入部材３と貯留浸透部材７は、支持部材５を介して方向Ｚの位置関係が決定される。これにより、雨水貯留部材１に対して局所的に荷重が加えられることを防止し、全体に分散して支持することができるため、耐荷重性が飛躍的に向上し、好適な耐久性向上に寄与することができる。
【００６５】
＜雨水貯留浸透部材１の施工方法＞
図７〜図９を示し、雨水貯留浸透部材１の施工方法について詳細に説明する。図７は、雨水貯留浸透部材１の施工工程を示す図であって、図７（ａ）は、第一工程を示す模式図であり、図７（ｂ）は、第二工程を示す模式図であり、図７（ｃ）は、第三工程を示す模式図である。図８（ａ）（ｂ）（ｃ）は、雨水貯留浸透部材１の施工工程を示す図であって、図８（ａ）は、第四工程を示す模式図であり、図８（ｂ）は、第五工程を示す模式図であり、図８（ｃ）は、第六工程を示す模式図である。また、図９（ａ）（ｂ）（ｃ）は、雨水貯留浸透部材１の施工工程を示す図であって、図９（ａ）は、第七工程示す模式図であり、図９（ｂ）は、第八工程を示す模式図である。
【００６６】
本実施形態に係る雨水貯留浸透部材１の施工、地面５３を掘削して施工穴５５を形成する第一工程と、第一工程で形成した施工穴５５内に砂５７及び透水シート５９を敷設する第二工程と、施工穴５５内に貯留浸透部材７を載置する第三工程と、第三工程で載置した貯留浸透部材７の上方に支持部材５を載置する第四工程と、第四工程で載置した支持部材５の上方に雨水流入部材３を載置する第五工程と、第五工程で載置した雨水流入部材３に配管５１を接続する第六工程と、雨水貯留浸透部材１に透水シート５９を被覆させる第七工程と、第七工程を完了した施工穴５５を埋め戻す第八工程と、から構成することができる。
【００６７】
なお、第六工程と第七工程とは順序を入れ替えることが可能である。また、雨水貯留浸透部材を施工穴内に載置する前に予め透水シートを被覆することも可能であり、その場合は、第一工程、第二工程、第三工程、第六工程、第八工程の順序において、雨水浸透部材を組立てる工程（第四工程及び第五工程及び第七工程）を第三工程より前に行えばよい。更に、雨水浸透部材を組み立てる工程について、第七工程（貯留浸透部材７に透水シート５９を被覆）、第四工程、第五工程の順に行うことが可能であり、更に第四工程、第七工程（貯留浸透部材７及び支持部材５に透水シート５９を被覆）、第五工程の順に行うことも可能である。
【００６８】
（第一工程）
第一工程は、雨水貯留浸透部材１を埋設するための施工穴５５を形成する工程である
図７（ａ）に示すとおり、雨水貯留浸透部材１の施工を所望する位置に対して、所定の掘削深さＨ２を有する施工穴５５を設ける。掘削深さＨ２についてより具体的には、組み立て後における雨水貯留浸透部材１の総高さ、及び後述する砂５７と透水シート５９の層高さの和と略同寸法とすることが望ましい。また、施工穴５５の方向Ｘ及び方向Ｙにおける幅及び奥行方向の寸法は、方向Ｚに見下げた際における雨水貯留浸透部材１の方向Ｘ及び方向Ｙの寸法と所定のクリアランスの和以上の寸法とすることが望ましい。
【００６９】
このような態様で施工穴５５を設ければ、施工性を担保しつつ確実に雨水貯留浸透部材１を内部に埋設することができる。なお、施工穴５５の底面は極力平滑な形状に掘削すること、また配管５１を引き込むスペースについてもこの工程で同時に掘削しておくことが望ましい。
【００７０】
（第二工程）
第二工程は、第一工程で形成した施工穴５５内に砂５７及び透水シート５９を敷設する工程である。図７（ｂ）に示すとおり、第一工程において極力平滑に形成した施工穴５５の底面を更に慣らし、雨水貯留浸透部材１が安定して載置できるよう所定量の砂５７を敷設する。また、後に載置する貯留浸透部材７内への土砂の侵入を防止するため、敷設した砂５７層の上方に透水シート５９を積層する。透水シート５９は、ポリエステル等の合成繊維で形成された不織布であり、この透水シート５９が貯留浸透部材７の底面と砂５７層間の雨水の移動を許可しつつ、土砂の侵入を防止することができる。
【００７１】
（第三工程）
第三工程は、第一工程及び第二工程を経た施工穴５５内に貯留浸透部材７を載置する工程である。図７（ｃ）に示すとおり、第二工程で敷設した透水シート５９に対して底板部３７を対向しつつ施工穴５５内部に貯留浸透部材７を挿入し、方向Ｚに対して各立設部３３が平行に配置されるよう貯留浸透部材７を載置する。
【００７２】
（第四工程）
第四工程は、第三工程で載置した貯留浸透部材７の天板部３５に支持部材５を載置する工程である。上述した組み立て方法に従って第三工程で載置した貯留浸透部材７の天板部３５の上方に支持部材５を載置する。雨水貯留浸透部材１の高さ方向の位置決めが完了して施工作業性の向上が図れるため、配管５１を接続する前に雨水流入部材３を支持部材５で支持することが重要である。ここでは、貫通孔３１と受入孔１９が同心になっていること、及び三本の立設部３３上に支持部材５が配置されていることを確認する（特に図８（ａ）参照）。
【００７３】
（第五工程）
第五工程は、支持片２７の支持部２９に配管接続部１１を当接することにより、第四工程で載置した支持部材５の上方に雨水流入部材３を載置する工程である。支持部材５と雨水流入部材３の当接方法においても、上述した組み立て方法に従って行えばよい。これにより、施工穴５５内で雨水貯留浸透部材１の組み立てが完了し、配管５１の接続が可能な状態となる（特に図８（ｂ）参照）。
【００７４】
（第六工程）
第六工程は、第五工程で載置した雨水流入部材３に雨水排出用の配管５１を接続する工程である。図８（ｃ）に示すとおり、雨水排出用の配管５１を施工穴５５近傍にまで方向Ｘに引き込み、川下側の端部を雨水流入部材３の配管接続部１１に接続する。なお、上述したとおり、支持部材５と貯留浸透部材７は固定されていないため、配管５１の引き込み方向に応じて水平方向（方向Ｘ及び方向Ｙ）に支持部材５を回転させることができるため、施工性が良い。
【００７５】
（第七工程）
第七工程は、雨水貯留浸透部材１に透水シート５９を被覆させる工程である。図９（ａ）に示すとおり、施工穴５５内に載置した貯留浸透部材７の側面及び天面に透水シート５９を巻き付けて被覆し、貯留浸透部材７の側面及び天面と後に施工穴５５を埋め戻し後の地中間の雨水の移動を許可しつつ、土砂の侵入を防止する。なお、ここで使用する透水シート５９は、第二工程で使用したものと同じものである。
【００７６】
（第八工程）
第八工程は、第七工程までを完了した施工穴５５を土砂で埋め戻す工程である。図９（ｂ）に示すとおり、施工穴５５内における雨水貯留浸透部材１とこれに接続された配管５１の載置状態に変化が発生しないよう、施工穴５５を土砂で埋め戻す。上述したとおり当該工程前に雨水流入部材３が支持部材５に支持されているため、雨水流部材３と貯留浸透部材７の間を土砂等で固めて支持土を設けなくとも十分な耐荷重性を備えている。
【００７７】
本実施形態に係る雨水貯留浸透部材１は、上述したとおり内部に大きな空隙を設けた貯留浸透部材７を用いているため、雨水の浸透を促進する砕石を雨水貯留浸透部材１の周りに敷設する必要がない。なお、当該工程により、施工穴５５周辺を所定の高さにまで埋め戻して地面５３を復元するため、配管５１も地中に埋設される。また、雨水流入部材３の点検口９には、別途用意した蓋体（図示せず）を嵌合することで閉栓すればよい。
【００７８】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【００７９】
４．その他の雨水貯留浸透部材１０１
本発明の雨水貯留浸透部材は、例えば以下で詳述するその他の実施形態を採用してもよい。図１０及び図１１を用いて、その他の実施形態に係る雨水貯留浸透部材１０１の概要について説明する。図１０は、その他の実施形態に係る雨水貯留浸透部材１０１の概要を示す斜視図である。雨水貯留浸透部材１０１は、複数の部品を組み合わせて構成した支持部材１０５と、側板部１３９を備えた貯留浸透部材１０７と、を具備して構成された特徴を有する。なお、雨水流入部材１０３の構造は、上述した雨水流入部材３と変更点はない。
【００８０】
図１０に示すとおり、貯留浸透部材１０７は天板部１３５及び底板部１３７に加えて四方の側面に側板部１３９を具備しており、内部にも五本の立設部を配設しているため、方向Ｚに加えられる荷重に対しより耐久性の向上が図られた構造となっている。側板部１３９には貯留浸透部材１０７の内外を連通する複数の孔が形成されているため、土砂の侵入を防止しつつ、流入させた雨水を問題なく地中に浸透させることができる。
【００８１】
図１１を用いて支持部材１０５の構造を詳細に説明する。図１１（ａ）（ｂ）（ｃ）は、支持部材１０５の構造を示す図であって、図１１（ａ）は、支持部材１０５を方向Ｚに見下げた平面図であり、図１１（ｂ）は、支持部材１０５を方向Ｙに見た側面図であり、図１１（ｃ）は、支持部材１０５を方向Ｘに見た側面図である。
【００８２】
図１１（ａ）（ｂ）（ｃ）に示すとおり、支持部材１０５は、支持片１２７（支持部１２９）及び土台部１３０を備えた分離部１２０と、ベースプレート１２５と、を具備し、これら二つの部品は別体に構成された特徴を有する。このため、貯留浸透部材１０７に対する支持部材１０５の当接態様を変更することなく、分離部１２０のみを水平方向（方向Ｘ及び方向Ｙ）に回転させて雨水流入部材１０３の方向を変更し、引き込んだ配管５１の方向に対応することができる。即ち、ベースプレート１２５を三本の立設部上に配置した状態を維持しつつ、容易に雨水流入部材１０３と配管５１とを接続することができる。
【００８３】
なお、土台部１３０の略中央には表裏を貫通する貫通孔１３１ａが形成され、またベースプレート１２５の略中央には表裏を貫通する貫通孔１３１ｂが形成され、これら双方の孔を同心にしつつ土台部１３０とベースプレート１２５を重ねて当接することで、雨水流入部材１０３の雨水導入筒を挿通する貫通孔１３１を形成することができる。
また、支持部材は、ベースプレートに配管接続部を載置可能な凹溝を設け、ベースプレートで配管接続部を支持する態様とすることも可能である。
【産業上の利用可能性】
【００８４】
本実施形態における雨水貯留浸透部材は、加えられた荷重を部材全体に分散して伝達することにより好適に破損を防止するものである。
【符号の説明】
【００８５】
１        雨水貯留浸透部材
３        雨水流入部材
５        支持部材
７        貯留浸透部材
９        点検口
１１      配管接続部
１３      雨水誘導筒
１５      通水孔
１９      受入孔
２１      外側面
２３      管支持部
２５      ベースプレート
２７      支持片
２９      支持部
２９ａ    支持部
２９ｂ    支持部
２９ｃ    支持部
３１      貫通孔
３３      立設部
３５      天板部
３７      底板部
５１      配管
５３      地面
５５      施工穴
５７      砂
５９      透水シート
１０１    雨水貯留浸透部材
１０３    雨水流入部材
１０５    支持部材
１０７    貯留浸透部材
１２０    分離部
１２５    ベースプレート
１２７    支持片
１２９    支持部
１３０    土台部
１３１    貫通孔
１３１ａ  貫通孔
１３１ｂ  貫通孔
１３５    天板部
１３７    底板部
１３９    側板部
Ｗ１      幅寸法
Ｗ２      幅寸法
Ｗ３      離隔寸法
Ｗ４      立設部間寸法
Ｗ５      立設部間寸法
Ｗ６      端縁間距離
Ｗ７      離隔距離
Ｗ８      離隔距離
Ｈ１      高さ寸法
Ｈ２      掘削深さ
【図１】
2020105783.tif 000003
【図２】
2020105783.tif 000004
【図３】
2020105783.tif 000005
【図４】
2020105783.tif 000006
【図５】
2020105783.tif 000007
【図６】
2020105783.tif 000008
【図７】
2020105783.tif 000009
【図８】
2020105783.tif 000010
【図９】
2020105783.tif 000011
【図１０】
2020105783.tif 000012
【図１１】
2020105783.tif 000013
【図１２】
2020105783.tif 000014